(57)【要約】【課題】隣接する壁パネル同士の継ぎ目が目立たない壁パネルを提供すること。【解決手段】建物の壁面に複数並べて配置される壁パネル１であって、壁パネル１は、矩形状のパネル本体２と、パネル本体２の表面に形成され、パネル本体２の互いに対向する一端側から他端側に向かって延びる凹状の複数の第１目地部４１及びこれら第１目地部４１に略直交する方向に延びる凹状の複数の第２目地部４２と、パネル本体２の表面に形成され、第１目地部４１及び第２目地部４２により区画される複数の凸部３と、を備え、複数の第１目地部４１は、開口部４１２における幅が底部４１１における幅よりも大きく、底部４１１における幅が一定である一方で、開口部４１２における幅が一端側と他端側とで異なっており且つ互いに隣接する第１目地部４１同士の開口部４１２における幅が互いに異なっている、壁パネル１である。【選択図】図１
2020066966.tif 000002
【特許請求の範囲】
【請求項１】
建物の壁面に複数並べて配置される壁パネルであって、
前記壁パネルは、
矩形状のパネル本体と、
前記パネル本体の表面に形成され、前記パネル本体の互いに対向する一端側から他端側に向かって延びる凹状の複数の第１目地部及びこれら第１目地部に略直交する方向に延びる凹状の複数の第２目地部と、
前記パネル本体の表面に形成され、前記第１目地部及び前記第２目地部により区画される複数の凸部と、を備え、
前記複数の第１目地部は、
開口部における幅が底部における幅よりも大きく、
前記底部における幅が一定である一方で、前記開口部における幅が前記一端側と前記他端側とで異なっており且つ互いに隣接する前記第１目地部同士の前記開口部における幅が互いに異なっている、壁パネル。
【請求項２】
前記複数の第１目地部は、前記底部から前記開口部の上方に向かうに従い幅が大きくなるように側面が傾斜面で構成される、請求項１に記載の壁パネル。
【請求項３】
前記複数の第１目地部は、前記傾斜面の傾斜角度が前記一端側と前記他端側とで異なっており且つ互いに隣接する前記第１目地部同士の前記傾斜面の傾斜角度が互いに異なっている、請求項２に記載の壁パネル。
【請求項４】
前記傾斜面の傾斜角度は、互いに異なる第１角度及び第２角度を有し、
前記第１角度は、７５〜４５度の範囲で形成され、
前記第２角度は、６０〜３０度の範囲で形成される、請求項３に記載の壁パネル。
【請求項５】
前記壁パネルは、窯業サイディングパネルである、請求項１〜４のいずれか１項に記載の壁パネル。
【請求項６】
シーリング材を介さずに互いに接して配置される、請求項１〜５いずれか１項に記載の壁パネル。
【発明の詳細な説明】
【技術分野】
【０００１】
本発明は、壁パネルに関する。
【背景技術】
【０００２】
従来、表面に凹凸等のパターンを形成した壁パネルを複数並べて接合することで、建物の外壁を構成することが知られている。壁パネルを並べた際に、壁パネル同士の位置がずれる場合があるが、この位置ずれが目立たないように、壁パネル同士の間の目地部の幅に変化を設けることが提案されている（例えば、特許文献１参照）。
ところで、外壁を構成する壁パネルとして、壁パネルの縁に対して平行に延びる細長い凸部が複数並んだパターンを有するものがある。
【先行技術文献】
【特許文献】
【０００３】
【特許文献１】特許第５８８２６３０号公報
【発明の概要】
【発明が解決しようとする課題】
【０００４】
壁パネルを接合して外壁を構成する際には、隣接するパネルと壁パネルの間の目地部が上下方向に延びる。壁パネルの凸部と目地部が地面に略平行に延びている場合、左右方向に隣接する壁パネルに形成された凸部及び目地部が、互いに途切れたりずれたりせずに繋がることが望ましいが、施工誤差等によりずれる場合がある。特に、目地部の幅が一定の横縞柄の壁パネルでは、目地部のずれが目立ちやすかった。このため、隣接する壁パネルの凸部がずれても、壁パネル同士の継ぎ目が目立たない壁パネルが望まれていた。
【課題を解決するための手段】
【０００５】
本発明は、建物の壁面に複数並べて配置される壁パネル（例えば、後述の壁パネル１）であって、前記壁パネルは、矩形状のパネル本体（例えば、後述のパネル本体２）と、前記パネル本体の表面に形成され、前記パネル本体の互いに対向する一端側から他端側に向かって延びる凹状の複数の第１目地部（例えば、後述の第１目地部４１）及びこれら第１目地部に略直交する方向に延びる凹状の複数の第２目地部（例えば、後述の第２目地部４２）と、前記パネル本体の表面に形成され、前記第１目地部及び前記第２目地部により区画される複数の凸部（例えば、後述の凸部３）と、を備え、前記複数の第１目地部は、開口部（例えば、後述の開口部４１２）における幅が底部（例えば、後述の底部４１１）における幅よりも大きく、前記底部における幅が一定である一方で、前記開口部における幅が前記一端側と前記他端側とで異なっており且つ互いに隣接する前記第１目地部同士の前記開口部における幅が互いに異なっている、壁パネルに関する。
【０００６】
前記複数の第１目地部は、前記底部から前記開口部の上方に向かうに従い幅が大きくなるように側面が傾斜面（例えば、後述の傾斜面４１３）で構成されることが好ましい。
【０００７】
前記複数の第１目地部は、前記傾斜面の傾斜角度が前記一端側と前記他端側とで異なっており且つ互いに隣接する前記第１目地部同士の前記傾斜面の傾斜角度が互いに異なっていることが好ましい。
【０００８】
前記傾斜面の傾斜角度は、互いに異なる第１角度及び第２角度を有し、前記第１角度は、７５〜４５度の範囲で形成され、前記第２角度は、６０〜３０度の範囲で形成される、ことが好ましい。
【０００９】
シーリング材を介さずに互いに接して配置されることが好ましい。
【発明の効果】
【００１０】
本発明によれば、隣接する壁パネル同士の継ぎ目が目立たない壁パネルを提供することができる。
【図面の簡単な説明】
【００１１】
【図１】本実施形態の壁パネルの外壁構造を示す図である。
【図２】本実施形態の壁パネルの正面図である。
【図３】本実施形態の壁パネルの部分断面図である。
【発明を実施するための形態】
【００１２】
以下、本発明の実施形態について、図面を参照しながら詳細に説明する。図１は、本実施形態の壁パネル１の外壁構造１００を示す図である。図２は、一枚の壁パネル１の正面図である。
外壁構造１００は、複数の壁パネル１と、壁パネル１を接続固定するジョイナー８を有する。外壁構造１００は、複数の壁パネル１を並べて配置して、上下左右に隣接する壁パネル１同士を嵌合させて組み合わせるとともに、建物の躯体にジョイナー８により取り付けることで構成される。外壁構造１００は、いわゆるシーリングレス工法で形成される。
【００１３】
ジョイナー８は、壁パネル１の裏面側で、互いに隣接する壁パネル１同士の間に配置されて壁パネル１同士を接続する。このため、隣接する壁パネル１は、間にシーリング材を介さずに互いに接して配置され、隣接する壁パネル１の側縁は互いに接して並んでいる。
なお、本明細書において、上下方向とは建物の天地方向を意味する。
【００１４】
壁パネル１は、いわゆる窯業サイディングパネルの外壁用板材であり、建物の壁面に複数並べて配置される。壁パネル１は、パネル本体２と、凸部３と、第１目地部４１と、第２目地部４２と、を有する。
【００１５】
図２に示すように、パネル本体２は、壁パネル１の外形を規定する略矩形状の板状体であり、長手方向が略水平方向に沿うように配置される長方形である。パネル本体２は、長手方向の一端側で上下方向に延びる側縁２１と、他端側で上下方向に延びる側縁２２とを有する。パネル本体２は、裏面側が平坦な面で形成されて建物に取り付けられ、表面側が外壁表面を構成する
【００１６】
凸部３は、パネル本体２の表面に形成される。凸部３は、後述する第１目地部４１及び第２目地部４２により区画される部分である。凸部３は、壁パネル１の長縁に対して平行に延びるように横縞状に複数並んで配置される。より詳細には、凸部３は、その長手方向が略水平方向に沿うように並べられる。凸部３の上部の表面には、外壁材の表面を構成する意匠的な微細な凹凸や模様が形成されるが、凸部３の上部表面は概ね平坦である。
【００１７】
第１目地部４１は、パネル本体２の表面に形成され、パネル本体２の互いに対向する一端側の側縁２１から他端側の側縁２２に向かって延びる。図３は、壁パネル１の部分断面図である。図３に示すように、第１目地部４１は、凸部３に対して相対的に凹む横縞状の凹部である。第１目地部４１は、上部が開口した略逆台形の形状に形成され、底部４１１と、開口部４１２と、傾斜面４１３と、を有する。
【００１８】
底部４１１は、パネル本体２の長手方向に沿って一端側から他端側まで一定の幅で延びる。底部４１１は、複数の凸部３の間に複数形成されるが、いずれの底部４１１でも同じ幅で形成される。
【００１９】
開口部４１２は、第１目地部４１の上方に向かって開放された凹部の開口である。図３に示すように、開口部４１２の幅は、底部４１１の幅よりも広くなっている。また、図１及び図２に示すように、開口部４１２の幅は、パネル本体２の一端と他端とで、異なっている。例えば、図２に示すように、パネル本体２の長手方向における一端側の側縁２１上の任意の位置を第１位置２１０として、第１位置２１０から仮想線を水平方向に延ばして他端側の側縁２２へ至った他端側の側縁２２上の位置を第２位置２２０としたときに、第１位置２１０と第２位置２２０における開口部４１２の幅は、パネル本体２の一端側の側縁２１では狭いが、他端側の側縁２２では広く形成されている。
【００２０】
開口部４１２は、上下に隣接し合う第１目地部４１同士で比較すると、第１目地部４１同士の開口部４１２の幅は、狭い幅と広い幅が交互に形成されており、互いに異なっている。
【００２１】
傾斜面４１３は、図３に示すように、底部４１１の幅方向における一方及び他方から、上方に向かって傾斜する平坦な面である。底部４１１から開口部４１２の上方に向かって傾斜することで、第１目地部４１の幅が上方に向かうに従い大きくなる。傾斜面４１３の上端は、凸部３の表面における幅方向外側の端部に至る。また、傾斜面４１３の上端は、第１目地部４１の上端である。傾斜面４１３の傾斜角度は、パネル本体２の一端側と他端側で異なっている。また、図２及び図３に示すように、上下に隣接する第１目地部４１同士で比較すると、隣接する第１目地部４１同士の傾斜面４１３の傾斜角度が互いに異なっている。
【００２２】
傾斜角度は、互いに異なる第１角度θ１及び第２角度θ２を有する。第１角度θ１は７５〜４５度の範囲で形成される。好ましくは、第１角度θ１は６５〜５５度であってよい。第２角度θ２は、第１角度θ１に対して相対的に小さい角度であり、６０〜３０度の範囲で形成される。好ましくは、第２角度θ２は５０〜４０度であってよい。
【００２３】
具体的には、図１及び図２に示すように、パネル本体２の一端側の側縁２１では、傾斜角度は第１目地部４１の底部４１１を間に挟んで上端側から第１角度θ１−底部４１１−第１角度θ１、第２角度θ２−底部４１１−第２角度θ２、第１角度θ１−底部４１１−第１角度θ１、第２角度θ２−底部４１１−第２角度θ２の順で形成されている。一方、パネル本体２の他端側の側縁２２では、傾斜角度は上端側から底部４１１を間に挟んで第２角度θ２−底部４１１−第２角度θ２、第１角度θ１−底部４１１−第１角度θ１、第２角度θ２−底部４１１−第２角度θ２、第１角度θ１−底部４１１−第１角度θ１、の順で形成されている。このように傾斜面４１３が並ぶことにより、パネル本体２の第１位置２１０と第１位置２１０に対応する第２位置２２０における第１目地部４１の開口部４１２の幅が異なる。
【００２４】
図３に示すように、第１目地部４１の傾斜角度が異なることで、底部４１１から傾斜面４１３の上端まで、開口部４１２の幅が異なる。より詳細には、底部４１１を挟んで傾斜面４１３の一方の上端と他方の上端を結ぶ距離、すなわち、断面視で凹状の第１目地部４１の一方の上端と他方の上端の間の距離が、隣接する一の第１目地部４１の上端同士の距離Ｄ１と、他の第１目地部４１の上端同士の距離Ｄ２とで異なっている。
【００２５】
第１角度θ１で傾斜する傾斜面４１３の上端同士を結んだ距離Ｄ１と、第２角度θ２で傾斜する傾斜面４１３の上端同士を結んだ距離Ｄ２とでは、小さい角度の第２角度θ２で傾斜する傾斜面４１３の上端同士を結んだ距離Ｄ２の方が長い。
【００２６】
図１に示すように、上記の壁パネル１を上下左右に組み合わせた場合、壁パネル１のパネル本体２における一方の側縁２１において、傾斜面４１３の傾斜角度が大きい第１目地部４１の距離Ｄ１（すなわち、短い距離Ｄ１）が形成されているところの隣に、他方の壁パネル１のパネル本体２における他方の側縁２２において、傾斜面４１３の傾斜角度が小さい第１目地部４１の距離Ｄ２（すなわち、長い距離Ｄ２）が形成されている。この関係が上下に亘って連続し、距離Ｄ１と距離Ｄ２が互い違いに形成される。
【００２７】
図２に示すように、傾斜面４１３の傾斜角度は、パネル本体２の長手方向の一端側の側縁２１から他端側の側縁２２まで、連続して同じ角度で傾斜していない。第１角度θ１で傾斜した傾斜面４１３が、途中から第２角度θ２で傾斜するように変化したり第２角度θ２で傾斜した傾斜面４１３が、途中から第１角度θ１で傾斜するように変化したりしている。
【００２８】
第２目地部４２は、第１目地部４１に略直交する方向に延び、断続的に複数の第２目地部４２が形成される。図１に示すように、第２目地部４２は、第１目地部４１における傾斜面４１３の傾斜角度が変化する境界に形成される凹部である。第２目地部４２は、横縞状の凸部３を途中で切断するように形成される。第２目地部４２は、複数の壁パネル１を突き合わせて接合した際に形成される上下方向の線をカムフラージュするために形成される溝であり、凸部３の任意の場所に形成されてよい。
【００２９】
本実施形態によれば、以下の効果を奏する。
（１）本実施形態では、建物の壁面に複数並べて配置される壁パネル１を、矩形状のパネル本体２と、パネル本体２の表面に形成され、パネル本体２の互いに対向する一端側から他端側に向かって延びる凹状の複数の第１目地部４１及びこれら第１目地部４１に略直交する方向に延びる凹状の複数の第２目地部４２と、パネル本体２の表面に形成され、第１目地部４１及び前記第２目地部４２により区画される複数の凸部３と、を含んで構成した。また、複数の第１目地部４１を、開口部４１２における幅が底部４１１における幅よりも大きく、底部４１１における幅が一定である一方で、開口部４１２における幅が一端側と他端側とで異なっており且つ互いに隣接する第１目地部４１同士の開口部４１２における幅を互いに異なるものとした。
【００３０】
第１目地部４１底部４１１の幅が一定でパネル本体２の互いに対向する一端側から他端側に向かって第１目地部４１を形成するような横縞状の壁パネルにおいて、複数の壁パネル１を互いに突き合わせて接合した際に、パネル本体２の施工誤差等で左右に隣接する凸部３が上下にずれることがある。しかし、第１目地部４１の開口部４１２の幅を左右に隣接するパネル本体２の一端側と他端側で異なるように構成した。また、一枚のパネル本体２で上下に隣接する第１目地部４１同士の開口部４１２の幅を異なるように構成した。これにより、複数の壁パネル１を隣接させて配置した際に、壁パネル１の一端側の側縁２１に形成される第１目地部４１の開口部４１２と、別の壁パネル１の他端側の側縁２２に形成される開口部４１２とが交互にずれて配置される。パネル本体２の表面に、幅の異なる開口部４１２が交互に連続するパターンが形成されることにより、凸部３及び開口部４１２のずれが目立たなくなる。凸部３及び開口部４１２のずれが目立たなくなることで、壁パネル１同士の継ぎ目が目立たなくなる。
【００３１】
（２）本実施形態では、複数の第１目地部４１を、底部４１１から開口部４１２の上方に向かうに従い幅が大きくなるように側面が傾斜面４１３で構成した。開口部４１２の幅を、傾斜面４１３の傾斜によって調整することで、底部４１１の幅を変えずに凸部３のずれを目立たなくすることができる。また、傾斜面４１３の角度を変えることにより、外部から照射される光の反射する方向が変わるため、凸部３のずれが目立たなくなる。凸部３のずれが目立たなくなることで、壁パネル１同士の継ぎ目が目立たなくなる。また、第１目地部４１の底部４１１の幅を変えずに第１目地部４１の外観の印象を変化させることができるので、壁パネル１の成形が容易になる。
【００３２】
（３）本実施形態では、複数の第１目地部４１を、傾斜面４１３の傾斜角度が一端側と他端側とで異なっており且つ互いに隣接する第１目地部４１同士の傾斜面４１３の傾斜角度を互いに異なるものとした。これにより、左右に隣接する壁パネル１における第１目地部４１同士の開口部４１２の幅が異なるので、上記と同様の効果を奏する。
【００３３】
（４）本実施形態では、傾斜角度を、互いに異なる第１角度θ１及び第２角度θ２を含んで形成し、第１角度θ１を、７５〜４５度の範囲で形成し、第２角度θ２を、６０〜３０度の範囲で形成した。第１角度θ１及び第２角度θ２を上記の範囲とすることで、凸部３の成形が容易になるとともに、凸部３の幅及び第１目地部４１の幅を良好な範囲にすることができ、意匠性の優れた壁パネル１を提供できる。
【００３４】
（５）本実施形態では、壁パネル１を、窯業サイディングパネルとした。これにより、凸部３及び第１目地部４１の成形が容易になるとともに、上記の効果と同様の効果を奏する。
【００３５】
（６）本実施形態では、壁パネル１を、シーリング材を介さずに互いに接して配置させた。これにより、壁パネル１同士の表面側における側縁にシーリング材を充填しないいわゆるシーリングレス工法において、壁パネル１同士の接合部を目立たなくすることができる。
【００３６】
以上、本発明の好ましい実施形態について説明したが、本発明は、上述の実施形態に制限されるものではなく、適宜変更が可能である。
例えば、上記実施形態では、傾斜面４１３は、底部４１１から凸部の上部の表面における幅方向の端部までが略直線的で平坦な面により形成されているが、これに限られない。底部から凸部の上部の表面における幅方向の端部まで、下方に窪むように湾曲する曲面で形成されていてもよい。
【００３７】
また、上記の実施形態では、第１角度θ１を７５〜４５度の範囲、第２角度θ２を６０〜３０度の範囲として例示したが、これに限られない。第１角度と第２角度が互いに異なっていれば、角度の大きさは任意に変更してよい。
【００３８】
また、上記の実施形態では、パネル本体２の一端側の側縁２１で傾斜角度が底部４１１を間に挟んで上端側から第１角度θ１−底部４１１−第１角度θ１、第２角度θ２−底部４１１−第２角度θ２、第１角度θ１−底部４１１−第１角度θ１、と並び、他端側の側縁２２で傾斜角度が上端側から第２角度θ２−底部４１１−第２角度θ２、第１角度θ１−底部４１１−第１角度θ１、第２角度θ２底部４１１−第２角度θ２、と並んでいるが、第１角度θ１及び第２角度θ２の並び順はこれに限られない。パネル本体２を左右に突き合わせたときに、左右に隣接する第１目地部４１における開口部４１２の幅が異なるように構成することができれば、他の組み合わせであってもよい。また、他に第１角度θ１及び第２角度θ２と異なるその他の角度を交えてもよい。
【００３９】
また、上記の実施形態では、凸部３及び第１目地部４１が横縞状に配置されている壁パネル１を例に説明したが、これに限られない。凸部３及び第１目地部４１は、縦縞状や斜めに配置されていてもよい。
【符号の説明】
【００４０】
１      壁パネル
２      パネル本体
３      凸部
４１    第１目地部
４２    第２目地部
４１１  底部
４１２  開口部
４１３  傾斜面
θ１    第１角度
θ２    第２角度
【図１】
2020066966.tif 000003
【図２】
2020066966.tif 000004
【図３】
2020066966.tif 000005